(57)【要約】【課題】音導管が不要であり、且つ、スピーカ固定のための部品点数を抑えることが可能なスピーカ固定構造を提供する。【解決手段】スピーカ２が取り付けられるパネル１には、固定部材３の一部が挿入される挿入ガイドリブ１ａおよびネジボス１ｂが設けられる。パネル１にスピーカ２に固定する際、固定部材３は、その一部が挿入ガイドリブ１ａに挿入された状態で、ネジボス１ｂを用いてパネル１にネジ４によってネジ止めされる。スピーカ２は、パネル１とそれにネジ止めされた固定部材３との間に挟持されて固定される。【選択図】図１
2005318168.tif 000002
【特許請求の範囲】
【請求項１】
スピーカと、
前記スピーカが取り付けられるパネルと、
前記スピーカを前記パネルに固定するための固定部材とを備え、
前記パネルには、ネジボスと、前記固定部材の一部が挿入される挿入ガイドとが設けられており、
前記固定部材は、その一部が前記挿入ガイドに挿入され、且つ、前記ネジボスを用いて前記パネルにネジ止めされ、
前記スピーカは、前記パネルとそれにネジ止めされた前記固定部材との間に挟持されて固定される
ことを特徴とするスピーカ固定構造。
【請求項２】
請求項１記載のスピーカ固定構造であって、
前記スピーカは、
前記パネルに音声出力面側が当接するように、前記パネルと前記固定部材との間に挟持される
ことを特徴とするスピーカ固定構造。
【請求項３】
請求項１または請求項２記載のスピーカ固定構造であって、
前記固定部材は、
前記スピーカ固定時に当該スピーカの側面に当接するリブを有している
ことを特徴とするスピーカ固定構造。
【請求項４】
請求項３記載のスピーカ固定構造であって、
前記リブは、
前記スピーカ固定時に前記スピーカの側面に複数箇所で当接する
ことを特徴とするスピーカ固定構造。
【請求項５】
請求項３記載のスピーカ固定構造であって、
前記リブは、
前記スピーカ固定時に前記スピーカの側面の全周に当接する
ことを特徴とするスピーカ固定構造。
【請求項６】
請求項１または請求項２記載のスピーカ固定構造であって、
前記固定部材は、
前記スピーカ固定時に当該スピーカの一部が嵌合する環状のリブを有している
ことを特徴とするスピーカ固定構造。
【請求項７】
請求項１または請求項２記載のスピーカ固定構造であって、
前記固定部材は、
前記スピーカ固定時に当該スピーカの一部が嵌合する窪み部を有している
ことを特徴とするスピーカ固定構造。
【発明の詳細な説明】
【技術分野】
【０００１】
本発明は、例えばテレビの前面パネルなどにスピーカを取り付けるための固定構造に関するものである。
【背景技術】
【０００２】
例えばテレビの前面パネルなどのパネルにスピーカを固定する場合、当該パネルの内側にスピーカをネジ止めするのが一般的である。そのような従来のスピーカ固定構造では、パネルの内面にはスピーカをネジ止めするための複数のボス（ネジボス）が設けられる。スピーカは当該ネジボスの上に固定され、パネルにはネジボス上のスピーカまで延びる音導管が設けられる。そのため音導管の長さは、ネジボスの高さと同程度必要になり、ネジの長さに応じて長くなる。音導管が長くなると、スピーカを搭載する機器の小型化の妨げになるだけでなく、スピーカから出力された音声が当該音導管で共鳴して音質劣化の原因になっていた。また音導管を短くすると、ネジボスがパネルの前面に突出するため、機器の外観を損なってしまう。
【０００３】
その改善策として、パネルとは別片の押さえ片によりスピーカを固定する技術が知られている（例えば特許文献１）。
【０００４】
【特許文献１】実公平７-１８２２７号公報（第１−３頁、第１−３図）
【発明の開示】
【発明が解決しようとする課題】
【０００５】
例えば特許文献１の第３図に開示の固定構造では、押さえ片およびネジが複数個必要であり、スピーカ固定のための部品点数の増加や、スピーカの取り付け作業が煩雑になるという問題があった。また、特許文献１の第１図および第２図に開示の固定構造では、複数の押さえ片が単一のフレームに一体的に設けられているので、スピーカ固定のために必要な別片は１個になるが、当該フレームをパネルに固定するためには複数本のネジが必要であった。
【０００６】
本発明は以上のような課題を解決するためになされたものであり、音導管が不要で、且つ、スピーカ固定のための部品点数を抑えることができるスピーカ固定構造を提供することを目的とする。
【課題を解決するための手段】
【０００７】
本発明に係るスピーカ固定構造は、スピーカと、前記スピーカが取り付けられるパネルと、前記スピーカを前記パネルに固定するための固定部材とを備え、前記パネルには、ネジボスと、前記固定部材の一部が挿入される挿入ガイドとが設けられており、前記固定部材は、その一部が前記挿入ガイドに挿入され、且つ、前記ネジボスを用いて前記パネルにネジ止めされ、前記スピーカは、前記パネルとそれにネジ止めされた前記固定部材との間に挟持されて固定されるものである。
【発明の効果】
【０００８】
本発明のスピーカ固定構造によれば、固定部材は、その一部が挿入ガイドに挿入され、且つ、ネジボスを用いてパネルにネジ止めされ、スピーカは、パネルとそれにネジ止めされた固定部材との間に挟持されて固定されるので、スピーカの固定を１個の固定部材と１本のネジのみを使用して行なっても、固定部材の位置を一定に保つことができ、振動などによるスピーカのズレを防止することができる。従って、スピーカの固定に要する部品点数は削減され、そのため容易にスピーカの取り付けが可能になるので、生産コストの削減および生産性の向上に寄与できる。
【０００９】
また、スピーカ自体がネジボス上にネジ止めされるのではなく、パネルと固定部材とで挟持して固定されるので、スピーカの出力面である前面をパネルに密着させることができる。よって、パネルに音導管を設ける必要はなく、音導管での共鳴による音質劣化の問題は伴わない。
【発明を実施するための最良の形態】
【００１０】
＜実施の形態＞
図１は本発明の実施の形態に係るスピーカ固定構造を示す図である。同図に示すように本構造は、例えばテレビの前面パネルなどのパネル１に、スピーカ２が取り付けられて成る。スピーカ２の出力面である前面側にはスピーカフレーム２ａが設けられており、背面側には当該スピーカ２の磁気回路を保護するための背面キャップ２ｂが設けられている。固定部材３はパネル１とは個別の部品（別片）であり、スピーカ２をパネル１に固定するための部材である。パネル１には、固定部材３の一部が挿入される挿入ガイドリブ１ａ並びに、固定部材３をネジ４を用いてネジ止めするためのネジボス１ｂが、それぞれ当該パネル１と一体的に形成されて設けられている。図１においては、挿入ガイドリブ１ａは１つのみ描かれているが、固定部材３を挟んで反対側にも同様に不図示の挿入ガイドリブ１ａが存在し、固定部材３はその２つによって保持されている。
【００１１】
図２は固定部材３の形状の一例を示す図である。この固定部材３は、挿入ガイドリブ１ａに挿入する部位である挿入部３ａおよび、ネジボス１ｂへのネジ止めの際にネジ４を通すための穴３ｂを有している。スピーカ２をパネル１に固定する際には、固定部材３は、その挿入部３ａを挿入ガイドリブ１ａに挿入した状態で、ネジボス１ｂを用いてネジ４によりパネル１にネジ止めされる。このときスピーカ２は、パネル１とそれにネジ止めされた固定部材３との間に挟持されて固定される。本実施の形態では図１の如く、スピーカ２は、その音声出力面である前面（スピーカフレーム２ａ）がパネル１に当接し、背面キャップ２ｂが設けられた背面が固定部材３に当接するようにパネル１と固定部材３との間に挟持されている。
【００１２】
このように、スピーカ２の固定には、１個の固定部材３と１本のネジ４のみが使用されている。固定部材３のネジ止めは、固定部材３の挿入部３ａを挿入ガイドリブ１ａに挿入した状態で行われているので、１本のネジ４のみを使用した場合でも固定部材３の位置を一定に保つことができ、振動などによるスピーカ２のズレを防止することができる。従って、スピーカ２の固定に要する部品点数は従来よりも削減され、そのため容易にスピーカ２の取り付けが可能になるので、生産コストの削減および生産性の向上に寄与できる。
【００１３】
また、スピーカ２自体がネジボス上にネジ止めされるのではなく、パネル１と固定部材３とで挟持して固定されるので、図１のようにスピーカ２の音声出力面である前面（スピーカフレーム２ａ）をパネル１に密着させることができる。従って、パネル１に音導管を設ける必要はなく、音導管での共鳴による音質劣化の問題は伴わない。
【００１４】
なお、図１においてスピーカフレーム２ａの四隅に描かれているネジ穴２ｃは、従来のスピーカ固定構造でスピーカ２自体をネジボス上に固定するために用いられていたものである。本発明では、スピーカ２はパネル１と固定部材３とで挟持して固定されるので、当該スピーカ２の固定のためにネジ穴２ｃを使用する必要は無い。このように本発明は、従来のスピーカに対しても適用可能である。
【００１５】
＜変形例＞
本発明において、固定部材３の形状は図２に示したものに限定されるものではない。以下にその形状の例を示す。
【００１６】
例えば図３の如く固定部材３に、スピーカ２の固定時に当該スピーカ２の側面（例えば背面キャップ２ｂの側面）に当接するリブ３ｃを設けると、スピーカ２の位置はリブ３ｃによりガイドされ、スピーカ２のズレを防止する効果がさらに高められる。なお、本明細書における「スピーカの側面」とは、スピーカの前面（音声出力面）および背面以外の全ての面を含むものである。例えば、図１における「スピーカ２の側面」は、その左右の側面だけでなく上側や下側の側面も含んでいる。例えば図１のスピーカ固定構造に、図３のリブ３ｃを有する固定部材３を適用した場合、背面キャップ２ｂの上側の側面にリブ３ｃが当接するので、スピーカ２の上方向へのズレを防止することができる。
【００１７】
図３の例ではリブ３ｃは直線形状であり、スピーカ２の側面の１点のみで接することになるが、複数箇所で接するようにしてもよい。例えば図４の如く、スピーカ２の固定時に当該スピーカ２の側面の３箇所に当接するコの字型リブ３ｄを設けてもよい。例えば図１のスピーカ固定構造に、図４のコの字型リブ３ｄを有する固定部材３を使用すれば、スピーカ２の上側の側面だけでなく、左右の側面にもコの字型リブ３ｄが当接するので、上方向へのズレだけでなく、横方向へのズレをも防止することができる。
【００１８】
また例えば図５の如く、固定部材３に、スピーカ２の一部である背面キャップ２ｂの外周形状と同形状を有する環状リブ３ｅを設けてもよい。スピーカ２の固定時には、背面キャップ２ｂが環状リブ３ｅの内側に嵌り込むようになる。それにより、固定時のスピーカ２の位置は環状リブ３ｅによりガイドされ、振動によるスピーカ２のズレを防止することができる。例えば図１のスピーカ固定構造に、この環状リブ３ｅを有する固定部材３を適用した場合、背面キャップ２ｂの側面全周に環状リブ３ｅが当接するので、スピーカ２の全方向へのズレが防止される。なお、環状リブ３ｅの形状は図５のような円形に限るものではなく、背面キャップ２ｂの形状に対応させて、当該背面キャップ２ｂがちょうど嵌り込むよう適宜変更してもよい。また、環状リブ３ｅはスピーカ２側面の必ずしも全周に接する必要はないが、スピーカ２の位置が安定するよう、より多くの箇所で接する形状であることが望ましい。
【００１９】
さらに例えば図６の如く、固定部材３に、スピーカ２の背面キャップ２ｂの外周形状と同形状を有する窪み部３ｆを設けてもよい。スピーカ２の固定時には、背面キャップ２ｂが窪み部３ｆの内側に嵌り込むようになる。この場合、図５の環状リブ３ｅと同様の効果が得られる。即ち、例えば図１のスピーカ固定構造に適用した場合、背面キャップ２ｂの側面全周に窪み部３ｆの内側面が当接するので、スピーカ２の全方向へのズレが防止される。また、窪み部３ｆは環状リブ３ｅに比べ、形成が容易であると共に低コストで形成できるという利点もある。窪み部３ｆの形状も円形に限られず、背面キャップ２ｂの形状に対応させて適宜変更してもよい。さらに、窪み部３ｆの内側面はスピーカ２側面の必ずしも全周に接する必要はないが、スピーカ２の位置が安定するよう、より多くの箇所で接する形状であることが望ましい。そのため窪み部３ｆは環状であることが望ましいが、例えば背面キャップ２ｂを上下あるいは左右から挟むスリット状のものなどでもよい。
【００２０】
なお、図２のようにリブのない固定部材３は、図３〜図６のようにリブあるいは窪み部を有するものに比較して、スピーカ２のズレを抑制する効果は小さくなるが、形状が単純であるのため容易に形成可能であり、製造コストの削減を図ることができる。また、リブの無い固定部材３は、スピーカ２の形状（背面キャップ２ｂの形状）を問わず適用可能であり汎用性が高いということでもコストの削減に寄与することができる。
【図面の簡単な説明】
【００２１】
【図１】本発明の実施の形態に係るスピーカ固定構造を示す図である。
【図２】固定部材の形状の一例を示す図である。
【図３】固定部材の形状の一例を示す図である。
【図４】固定部材の形状の一例を示す図である。
【図５】固定部材の形状の一例を示す図である。
【図６】固定部材の形状の一例を示す図である。
【符号の説明】
【００２２】
１  パネル、１ａ  挿入ガイドリブ、１ｂ  ネジボス、２  スピーカ、２ａ  スピーカフレーム、２ｂ  背面キャップ、３  固定部材、４  ネジ、３ａ  挿入部、３ｂ  穴、３ｃ  リブ、３ｄ  コの字型リブ、３ｅ  環状リブ、３ｆ  窪み部。
【図１】
2005318168.tif 000003
【図２】
2005318168.tif 000004
【図３】
2005318168.tif 000005
【図４】
2005318168.tif 000006
【図５】
2005318168.tif 000007
【図６】
2005318168.tif 000008